(57)【要約】【課題】簡易な作業によって容易に既設操作表示盤を更新できるエレベーターのかご室を得る。【解決手段】既設操作表示盤の更新工事時に更新操作表示盤８を、更新操作表示盤用取付板７の屈折部１１に嵌着した弾性金属板製のクリップ式締結具１４を介して、かご室１の壁板３に装着する。また、更新操作表示盤８のケース９の取付用貫通孔位置に合わせて、更新操作表示盤用取付板７の屈折部１１に単純な貫通孔を加工する。したがって、更新操作表示盤用取付板７の屈折部１１にねじ孔を加工する必要がなく、簡単な作業によって容易に既設操作表示盤を更新することができ、既設操作表示盤の更新工事の作業能率を向上し工事費を節減する。【選択図】　　　　図２
2004115268.tif 000002
【特許請求の範囲】
【請求項１】
かご室の壁板に設けられた既設操作表示盤用の旧取付孔を覆って上記かご室内に配置され、上記壁板に装着される更新操作表示盤用取付板と、この更新操作表示盤用取付板に設けられた上記更新操作表示盤用の新取付孔の縁部に形成されて、上記新取付孔に対応して拡張された上記旧取付孔に嵌合して配置される屈折部と、上記新取付孔に嵌合されて側方の外面が上記屈折部に対面して配置される上記更新操作表示盤のケースと、上記更新操作表示盤のケースにおける側方の内面から外方に挿通される締結ねじと、弾性金属板が屈曲されてＵ字状をなしＵ字の一辺に貫通孔が設けられ、Ｕ字の他辺における外面にナット体が保持されて、Ｕ字の開口部が上記更新操作表示盤用取付板の屈折部の自由端から嵌合されて弾性変形して嵌着され、上記Ｕ字の一辺が上記新取付孔内に配置されて上記ナット体に上記締結ねじがねじ込まれるクリップ式締結具とを備えたエレベーターのかご室。
【発明の詳細な説明】
【０００１】
【発明の属する技術分野】
この発明は、改修工事において既設操作表示盤が撤去され更新操作表示盤が装備されるエレベーターのかご室に関する。
【０００２】
【従来の技術】
従来のエレベーターのかご室では既設操作表示盤と更新操作表示盤の大小関係の如何に関わらず実施容易な取り替え方法として、かご室の壁板に重合して既設取付孔を覆う取付板に、更新操作表示盤の更新取付孔、壁板との重合部の壁板締結具及び更新取付孔縁部の屈折部に更新操作表示盤の締結具を設ける。そして、更新取付孔を壁板に加工して壁板締結具により取付板を壁板に装着し、その取付板に更新操作表示盤の締結具により更新操作表示盤を装着する。これにより、簡易な作業によって容易に操作表示盤を更新でき取り替え作業を能率化するようになっている。（例えば、特許文献１参照）。
【０００３】
【特許文献１】
特開平８−２９５４７１号公報（第４頁、図２）
【０００４】
【発明が解決しようとする課題】
上記のような従来のエレベーターのかご室では、取付板における更新取付孔縁部の屈折部に雌ねじを加工し、この雌ねじに更新操作表示盤の締結具をねじ込んで取付板に更新操作表示盤が装着される。しかし、取付板の屈折部に雌ねじを加工することは容易でなく煩雑な手数と多くの作業時間を要するという問題点があった。
【０００５】
この発明は、かかる問題点を解消するためになされたものであり、簡易な作業によって容易に既設操作表示盤を更新できるエレベーターのかご室を得ることを目的とする。
【０００６】
【課題を解決するための手段】
この発明に係るエレベーターのかご室においては、かご室の壁板に設けられた既設操作表示盤用の旧取付孔を覆ってかご室内に配置されて、壁板に装着される更新操作表示盤用取付板と、この更新操作表示盤用取付板に設けられた更新操作表示盤用の新取付孔の縁部に形成されて、新取付孔に対応して拡張された旧取付孔に嵌合して配置される屈折部と、新取付孔に嵌合されて側方の外面が屈折部に対面して配置される更新操作表示盤のケースと、更新操作表示盤のケースにおける側方の内面から外方に挿通される締結ねじと、弾性金属板が屈曲されてＵ字状をなしＵ字の一辺に貫通孔が設けられ、Ｕ字の他辺における外面にナット体が保持されて、Ｕ字の開口部が更新操作表示盤用取付板の屈折部にそれの自由端から嵌合されて弾性変形して嵌着され、Ｕ字の一辺が新取付孔内に配置されてナット体に締結ねじがねじ込まれるクリップ式締結具とが設けられる。
【０００７】
【発明の実施の形態】
実施の形態１．
図１〜図５は、この発明の実施の形態の一例を示す図で、図１はかご室内の要部透視図、図２は図１のＡ−Ａ線断面拡大図、図３は図１の更新操作表示盤用取付板を破断し拡大して示す斜視図、図４は図２のクリップ式締結具の拡大図、図５は図４の正面図である。図において、かご室１は、かご床２、かご床２の縁部に立設された壁板３、壁板３の上端に設けられた天井４、出入口５及び出入口５を開閉する引き戸６によって構成されている。
【０００８】
そして、出入口５に隣接した壁板３には、次に述べる更新操作表示盤用取付板７が設けられる。すなわち、更新操作表示盤用取付板７は既設操作表示盤用の旧取付孔（図示しない）を覆って配置され、更新操作表示盤用取付板７には更新操作表示盤８のケース９が嵌合される新取付孔１０、新取付孔１０の両側の縁部に形成されて拡張された旧取付孔に嵌合して配置される屈折部１１及び両側の縁部裏面に上下方向に互いに離れて立植されたねじ棒１２が設けられる。また、屈折部１１には上下方向に互いに離れて配置された貫通孔１３が設けられる。
【０００９】
また、更新操作表示盤用取付板７の屈折部１１には貫通孔１３に対応した位置に次に述べるクリップ式締結具１４が装着される。すなわち、りん青銅板等の弾性金属板が屈曲されてＵ字状をなしＵ字の一辺１５に貫通孔１６が設けられ、Ｕ字の他辺１７における外側に図４に示すように、開口部よりも内部が幅広に構成された抱持部１８が形成され、また板体の中央に雌ねじが設けられたナット体１９が抱持部１８内に空隙を形成して嵌合される。
【００１０】
また、壁板３に挿通された更新操作表示盤用取付板７のねじ棒１２の挿通端にはナット２０がねじ込まれる。また、壁板３に装着された更新操作表示盤用取付板７の新取付孔１０に嵌合された更新操作表示盤８のケース９は、ケース９の内側からケース９、クリップ式締結具１４のＵ字の一辺１５の貫通孔１６及び更新操作表示盤用取付板７の屈折部１１の貫通孔１３に挿通されてクリップ式締結具１４のナット体１９にねじ込まれたボルトからなる締結ねじ２１によって更新操作表示盤用取付板７に装着される。
【００１１】
このように構成されたエレベーターのかご室において、改修工事時に既設操作表示盤が撤去されて次に述べるようにして更新操作表示盤８が装備される。すなわち、出入口５に隣接した壁板３に設けられた既設操作表示盤用の旧取付孔が、更新操作表示盤用取付板７の新取付孔１０に対応して拡張される。そして、更新操作表示盤８のケース９の取付用貫通孔位置に合わせて更新操作表示盤用取付板７の屈折部１１に貫通孔１３が加工される。
【００１２】
また、更新操作表示盤用取付板７における屈折部１１の自由端からクリップ式締結具１４のＵ字の開口部が嵌合され、クリップ式締結具１４は弾性変形して屈折部１１の貫通孔１３対応位置に嵌着される。次いで、更新操作表示盤用取付板７の屈折部１１が壁板３の拡張された旧取付孔に嵌合され、ねじ棒１２が壁板３に挿通されてナット２０がねじ込まれて更新操作表示盤用取付板７が壁板３に装着される。
【００１３】
そして、更新操作表示盤８のケース９が更新操作表示盤用取付板７の新取付孔１０に嵌合されて、締結ねじ２１がケース９の内側からケース９、クリップ式締結具１４のＵ字の一辺１５の貫通孔１６及び更新操作表示盤用取付板７の屈折部１１の貫通孔１３に挿通されてクリップ式締結具１４のナット体１９にねじ込まれる。これによって、ケース９が更新操作表示盤用取付板７を介して壁板３に装着され、ケース９に更新操作表示盤８のフェースプレートが装着されて、既設操作表示盤の更新工事が終了する。
【００１４】
以上説明したように、既設操作表示盤の更新工事時に更新操作表示盤８のケース９の取付用貫通孔位置に合わせて、更新操作表示盤用取付板７の屈折部１１に単純な貫通孔１３が加工される。そして、更新操作表示盤８が更新操作表示盤用取付板７を介して壁板３に装着される。したがって、更新操作表示盤用取付板７の屈折部１１にねじ孔を加工する必要がなく、簡易な作業によって容易に既設操作表示盤を更新することができ、既設操作表示盤の更新工事の作業能率を向上し工事費を節減することができる。
【００１５】
【発明の効果】
この発明は以上説明したように、かご室の壁板に設けられた既設操作表示盤用の旧取付孔を覆ってかご室内に配置されて、かご室の壁板に装着される更新操作表示盤用取付板と、この更新操作表示盤用取付板に設けられた更新操作表示盤用の新取付孔の縁部に形成されて、新取付孔に対応して拡張された旧取付孔に嵌合して配置される屈折部と、新取付孔に嵌合されて側方の外面が屈折部に対面して配置される更新操作表示盤のケースと、更新操作表示盤のケースにおける側方の内面から外方に挿通される締結ねじと、弾性金属板が屈曲されてＵ字状をなしＵ字の一辺に貫通孔が設けられ、Ｕ字の他辺における外面にナット体が保持されて、Ｕ字の開口部が更新操作表示盤用取付板の屈折部にそれの自由端から嵌合されて弾性変形して嵌着され、Ｕ字の一辺が新取付孔内に配置されてナット体に締結ねじがねじ込まれるクリップ式締結具とを設けたものである。
【００１６】
これによって、既設操作表示盤の更新工事時に更新操作表示盤が更新操作表示盤用取付板を介して壁板に装着される。そして、更新操作表示盤のケースの取付用貫通孔位置に合わせて、更新操作表示盤用取付板の屈折部に単純な貫通孔が加工される。したがって、更新操作表示盤用取付板の屈折部にねじ孔を加工する必要がなく、簡易な作業によって容易に既設操作表示盤を更新することができ、既設操作表示盤の更新工事の作業能率を向上し工事費を節減する効果がある。
【図面の簡単な説明】
【図１】この発明の実施の形態１を示す図で、かご室内の要部透視図。
【図２】図１のＡ−Ａ線断面拡大図。
【図３】図１の更新操作表示盤用取付板を破断し拡大して示す斜視図。
【図４】図２のクリップ式締結具の拡大図。
【図５】図４の正面図。
【符号の説明】
１　かご室、３　壁板、７　更新操作表示盤用取付板、８　更新操作表示盤、９　ケース、１０　新取付孔、１１　屈折部、１４　クリップ式締結具、１５Ｕ字の一辺、１６　貫通孔、１７　Ｕ字の他辺、１９　ナット体、２１　締結ねじ。
【図１】
2004115268.tif 000003
【図２】
2004115268.tif 000004
【図３】
2004115268.tif 000005
【図４】
2004115268.tif 000006
【図５】
2004115268.tif 000007